(57)【要約】【課題】        石材製視覚障害者誘導体のモルタル面との接着を堅固にすると共に、敷設作業中においても石材製視覚障害者誘導体の持ち運びを容易にすべく改良、更には、凸状ラインとか円柱状突起部の上面角に丸みをもたせ危険性をなくすことが課題である。【解決手段】  表面に複数本の凸状ラインまたは多数の円柱状突起部を設けた視覚障害者誘導体の底面に欠切部を形成し、当該欠切部でモルタル面との接着面積を拡大すると共に接着を堅固とし、且つ、当該欠切部が持ち運びの際の手掛かりとなるように改良したものであり、更には、凸状ラインとか円柱状突起部の上面角部分に丸みをもたせ、同時にその他の機械加工を施した表面の加工傷をも消去して滑らかな面とすることが課題を解決するための手段である。【選択図】図１
0003153144.tif 000002
【実用新案登録請求の範囲】
【請求項１】
表面に複数本の凸状ラインまたは多数の円形状突起部を設けると共に、底面に欠切部を形成したことを特徴とする石材製視覚障害者誘導体。
【請求項２】
前記凸状ラインまたは多数の円形状突起部の上面角部分をバーナー等を用いて熱加工を施し、当該熱により、前記凸状ライン又は円柱状突起物の上面角部分に丸みを設け、且つ、その他の表面も同じく熱加工にて滑らかに形成したことを特徴とした請求項１の石材製視覚障害者誘導体。
【考案の詳細な説明】
【技術分野】
【０００１】  本考案は、歩道等、人の通行する区分に敷設する視覚障害者誘導体、詳しくは石材製視覚障害者誘導体の改良に関するものである。
【背景技術】
【０００２】  従来よりコンクリート、セラミック、石材等による、平板又はブロック表面に複数本の凸状ラインまたは表面に多数の円形状突起物を設けたを視覚障害者誘導体は知られている。平板のものは視覚障害者誘導板と呼称され、またブロック状のものにあっては視覚障害者誘導ブロックと呼称されている。これらは歩道等、人の通行する区分に視覚障害者を誘導し、又はいったん停止を知らせる目的をもって敷設されている。この視覚障害者誘導板または視覚障害者誘導ブロック（以後視覚障害者誘導体という）を目的の個所へ敷設するには基礎工事を終えた個所にモルタル層を設け、その上に当該視覚障害者誘導体を敷設するのであるが、今日、用いられている視覚障害者誘導体は、モルタルと接する底面が平面であり、従ってモルタル面に接着し難く、そのために特に車道の横断歩道等に敷設した場合は、モルタル面から剥離する事態が多発するという大なる欠点があった。【０００３】  また、材料にしてもセラミック製の薄板からなる視覚障害者誘導体は見栄えは良いものの通行量の多い個所では割れることが多く、ブロック状のコンクリート製視覚障害者誘導体は厚みがあり重量もあることから敷設工事が容易でなく、最近では石材製の薄板またはブロック状に形成された視覚障害者誘導体が用いられている。【０００４】  しかし、いずれにしても、これらの視覚障害者誘導体は作業中に移動するにも重く、しかも手掛かりもないことから持ち運びが容易ではなかった。【０００５】  また石材製視覚障害者誘導板は、表面の凸状ラインとか円柱状突起部を機械加工によって形成することから、凸状ラインとか円柱状突起部の上面角に丸みをもたせることは難事である。しかし上面角は、危険性を考慮すれば丸みをもたせたいのであるが、当該角部分に丸みをもたせるのを手作業でするには時間が掛かりすぎて加工費が高くついていた。これは、このような突起物の角部分だけではなく、製品の見栄え面から見れば、その他の機械加工を施した表面の加工傷にも言えることである。
【考案の開示】
【考案が解決しようとする課題】
【０００６】  解決しようとする問題点は、石材製視覚障害者誘導体のモルタル面との接着を堅固にすると共に、敷設作業中においても石材製視覚障害者誘導体の持ち運びを容易にすべく改良、更には、凸状ラインとか円柱状突起部の上面角に丸みをもたせ危険性をなくすことが課題である。
【課題を解決するための手段】
【０００７】  本考案は、表面に複数本の凸状ラインまたは多数の円柱状突起部を設けた視覚障害者誘導体の底面に欠切部を形成し、当該欠切部でモルタル面との接着面積を拡大すると共に接着を堅固とし、且つ、当該欠切部が持ち運びの際の手掛かりとなるように改良したものであり、更には、凸状ラインとか円柱状突起部の上面角部分に丸みをもたせ、同時にその他の機械加工を施した表面の加工傷をも消去して滑らかな面とすることが課題を解決するための手段である。
【考案の効果】
【０００８】  本考案の石材製視覚障害者誘導体は、表面に複数本の凸状ラインまたは多数の円形状突起部を設けると共に、底面に欠切部を形成したことを特徴とする石材製視覚障害者誘導体であり、更には、前記凸状ラインまたは多数の円形状突起部の上面角部分をバーナー等を用いて熱加工を施し、当該熱により、前記凸状ライン又は円柱状突起物の上面角部分に丸みを設け、且つ、その他の表面も同じく熱加工にて滑らかに形成したことを特徴とした石材製視覚障害者誘導体であるから、図７に示すように、視覚障害者誘導体を敷設した際に、モルタルが欠切部に盛り上がり、このモルタルの盛り上がりによって接着面積も増加する一方接着そのものも堅固となり、また視覚障害者誘導体の横ずれもなくし、また当該欠切部が敷設作業中の持ち運びの際には手掛かりにもなる。更には、石材を花崗岩（御影石）とすることで、表面にバーナー等による熱加工を加えれば石材表面が極めて細かく破砕されて上面の角部分は滑らかな丸みを帯び、またその他の表面の加工傷も石材表面が極めて細かく破砕されることから、加工傷は消去されて、極めて滑らかな表面になり、上面角による危険性はなくなる等、顕著なる実用的効果を有するものである。
【考案を実施するための最良の形態】
【０００９】  表面に複数本の凸状ラインまたは多数の円形状突起部を設けると共に、底面に欠切部を形成したことを特徴とする石材製視覚障害者誘導体であり、更には、前記凸状ラインまたは多数の円形状突起部の上面角部分をバーナー等を用いて熱加工を施し、当該熱により、前記凸状ライン又は円柱状突起物の上面角部分に丸みを設け、且つ、その他の表面も同じく熱加工にて滑らかに形成したことを特徴とした石材製視覚障害者誘導体を呈せんとするものである。
【実施例１】
【００１０】  図１、図２、図３は本考案に係る視覚障害者誘導体１で、表面に複数本の凸状ライン２を設けたものであり、図２の側面図及び図３の底面図に示すように、四方に表面側には貫通しない欠切部３を形成している。本考案実施例においては、欠切部３の形状を内方に向けた円弧状としているが、当該形状に限定を受けるものではない。【００１１】  図４、図５、図６は本考案に係る視覚障害者誘導体１で、表面に多数の円形状突起部４を設けたものであり、図５の側面図及び図６の底面図に示すように、四方に表面側には貫通しない欠切部３を形成している。本考案実施例においては、欠切部３の形状を内方に向けた円弧状としているが、当該形状に限定を受けるものではない。【００１２】  視覚障害者誘導体１は花崗岩（御影石）により製作されている。これは後述の熱加工により角に丸みを持たせるためには当該石材が望ましいものである。凸状ライン２又は多数の円柱状突起部４は通常この種の形状を形成するに用いる機械加工で形成する。図８に示すように、凸状ライン２又は多数の円柱状突起部４の上面角部分６またはその他の表面７にバーナー８等により熱加工を施す。加熱された上面角部分６またはその他の表面部分７は、花崗岩の特性により極めて細く破砕され、従って角部分６は丸みを帯び、その他の表面７は加工傷が消去されて滑らかな面となる。
【産業上の利用可能性】
【００１３】  本考案に係る視覚障害者誘導体１は、表面の複数本の凸状ライン２又は多数の円柱状突起部４の上面角部分６及びその他の表面７の加工傷が残る部分は、表面にバーナー８等による熱加工を加えることにより石材表面が極めて細かく破砕されて上面の角部分６は滑らかな丸みを帯び、またその他の表面７の加工傷も石材表面が極めて細かく破砕されることから滑らかとなり、危険性は緩和される。また図７に示すように、視覚障害者誘導体１を敷設した際に、モルタル５が欠切部３に盛り上がり、このモルタル５の盛り上がりによって接着面積も増加するのでモルタル面から剥離することもなく堅固に接着でき、また、モルタル５の盛り上がりによって視覚障害者誘導体１の横方向のずれもなくし、また当該欠切部３が敷設作業中の持ち運びの際には手掛かりにもなる等、顕著なる実用的効果を有するものであり、産業上の利用可能性は極めて大である。
【図面の簡単な説明】
【００１４】
【図１】  本考案に係る視覚障害者誘導体の平面図。
【図２】  本考案に係る視覚障害者誘導体の側面図。
【図３】  本考案に係る視覚障害者誘導体の底面図。
【図４】  本考案に係る視覚障害者誘導体の平面図。
【図５】  本考案に係る視覚障害者誘導体の側面図。
【図６】  本考案に係る視覚障害者誘導体の底面図。
【図７】  敷設状態を説明するための断側面図。
【図８】  角に丸みをつける上面角部分の拡大側面図。
【符号の説明】
【００１５】１  視覚障害者誘導体
２  凸状ライン
３  欠切部
４  円柱状突起物
５  モルタル部分
６  上面角部分
７  表面
８  バーナー
【図１】
0003153144.tif 000003
【図２】
0003153144.tif 000004
【図３】
0003153144.tif 000005
【図４】
0003153144.tif 000006
【図５】
0003153144.tif 000007
【図６】
0003153144.tif 000008
【図７】
0003153144.tif 000009
【図８】
0003153144.tif 000010